(57)【要約】【課題】  使用時に粘着面同士が貼り付かないように保持することが容易な粘着シートと、健康器具を正しい位置に容易に貼り付けることができる貼り替え用の粘着シートを提供する。【解決手段】  健康器具を皮膚に取り付けるための可撓性の粘着シートである。健康器具が貼付される部分である健康器具貼付部８と、皮膚に粘着させるための粘着部９と、健康器具貼付部に剥離可能に貼着された第一剥離紙４と、粘着部に剥離可能に貼着された第二剥離紙５とを有するように構成した。【選択図】図１
2020111645.tif 000002
【特許請求の範囲】
【請求項１】
健康器具を皮膚に取り付けるための可撓性の粘着シートであって、
前記健康器具が貼付される部分である健康器具貼付部と、
皮膚に粘着させるための粘着部と、
前記健康器具貼付部に剥離可能に貼着された第一剥離紙と、
前記粘着部に剥離可能に貼着された第二剥離紙と、
を有する、ことを特徴とする粘着シート。
【請求項２】
請求項１に記載の粘着シートであって、
前記第二剥離紙は、前記第一剥離紙を取り去った状態で前記粘着シートを支持して面の状態を維持する剛性を有している、ことを特徴とする粘着シート。
【請求項３】
請求項１または２のいずれか一項に記載の粘着シートであって、
前記第一剥離紙または前記健康器具貼付部は、前記健康器具の外形の少なくとも一部と整合する形状を有している、ことを特徴とする粘着シート。
【請求項４】
請求項１〜３のいずれか一項に記載の粘着シートであって、
前記第一剥離紙と前記第二剥離紙は、切込によって互いに分離されている、ことを特徴とする粘着シート。
【請求項５】
請求項１〜４のいずれか一項に記載の粘着シートであって、
前記第一剥離紙と前記第二剥離紙は、剥がし始め部分に剥がし端部を有している、ことを特徴とする粘着シート。
【請求項６】
請求項５に記載の粘着シートであって、
前記剥がし端部は、前記第一剥離紙と前記第二剥離紙の剥がし始め部分に設けられた切欠または切込段差部または折り返し部または重なり部を有している、ことを特徴とする粘着シート。
【請求項７】
請求項５または６のいずれか一項に記載の粘着シートであって、
前記剥がし端部は、前記第一剥離紙と前記第二剥離紙の剥がし始め部分に設けられた薄膜片を有している、ことを特徴とする粘着シート。
【請求項８】
請求項１〜７のいずれか一項に記載の粘着シートであって、
前記第一剥離紙と前記第二剥離紙は、互いに反対方向に剥離されるように配置されている、ことを特徴とする粘着シート。
【請求項９】
請求項１〜８のいずれか一項に記載の粘着シートであって、
前記健康器具は、
可撓性であり、
最大方向での寸法が、１０ｍｍ〜２５０ｍｍである、
微弱電流を発生させるシートである
ことを特徴とする粘着シート。
【発明の詳細な説明】
【技術分野】
【０００１】
本発明は、機能性の健康器具を皮膚に貼着する粘着シートに関する。
【背景技術】
【０００２】
一般に、身体の一部に接触させることにより、身体の機能を活性化させる健康器具が広く使用されている。このような健康器具としては種々のものが存在し、例えば磁石、鍼またはそれに相当するもの等が挙げられる。
【０００３】
これらの健康器具は通常、身体の一部に接触させ、その状態を維持しておく必要がある。このような状態を実現するため、従来から粘着シートが広く使用されている。粘着シートは、可撓性の材料からなり、片面に粘着層を有し、健康器具を挟んで皮膚に粘着させる。このようにすることにより、粘着シートの張力によって健康器具を皮膚に密着させることができる。
【０００４】
粘着シートは、粘着面を保護するため、使用前においては、剥離可能な剥離紙を粘着面に貼着させている。健康器具は予め粘着シートと剥離紙の間に設けられている場合と、設けられていない場合がある。
【０００５】
図１１に、健康器具が磁石５０である場合の、粘着シート５１と剥離紙５２を示している。このうち、図１１（ａ）は磁石５０の使用前の状態を示し、図１１（ｂ）は貼り替え用の粘着シート５１と磁石５０の再使用時の状態を示している。
【０００６】
この例では、図１１（ａ）に示すように、磁石５０は、円形の粘着シート５１の粘着面の中心部に配置された状態で、剥離可能な剥離紙５２に貼着されている。
【０００７】
使用に際しては、剥離紙５２から磁石５０とともに粘着シート５１を剥がし、身体の患部に粘着させる。
【０００８】
一般に、磁石５０は、磁化された状態を長時間保つ傾向があるため、粘着シート５１の粘着力が低下した後でも再使用することができる。このため、貼り替え用の粘着シート５１も用意されている。なお、湿布薬などは、湿布薬自体に粘着性を有し、剥離紙を剥がして患部に貼って使用するが、貼り替え用の粘着シートというものは通常使われない。
【０００９】
図１１（ｂ）は、貼り替え用の粘着シート５１と剥離紙５２と再使用される磁石５０とを示している。貼り替え用の粘着シート５１は、図１１（ｂ）に示すように、磁石５０を挟まない状態で、剥離紙５２に直接貼り付けられている。使用する時は、剥離紙５２から粘着シート５１を剥がし、その粘着面に磁石５０を貼り付けて、皮膚に貼り付けるようにする。
【００１０】
特許文献１には、角質の剥離を抑制するとともに、十分な保持力を有し、剥離する場合に糊残りが少ない皮膚貼着用テープが開示されている。
【先行技術文献】
【特許文献】
【００１１】
【特許文献１】特開２０１８−１３１５８４号公報
【発明の概要】
【発明が解決しようとする課題】
【００１２】
しかし、粘着シートは、一般的に多少の伸縮性を有し、厚さは例えば０．１ｍｍ〜０．５ｍｍと薄く、きわめて柔軟である。このため、使用時に粘着シートの粘着面が互いに貼り付いてしまうことがある。特に、貼り替え用の粘着シートは、粘着シートを剥がしたときに、粘着シートが単体であるため、粘着シートの反り、動き、静電気などのより粘着シート自体の粘着面同士が貼り付いてしまうことが多くなる。
【００１３】
また、健康器具が、例えば微弱電流シートのような面積を有するシート状のものである場合、貼り替え用粘着シートの貼り付きの問題が顕著化する。
【００１４】
なお、微弱電流シートは、電位差を有する正電極部と負電極部と有し、人間の皮膚に接触して微弱な電流を流し、健康を促進する健康器具である。微弱電流シートは、上記正電極部と負電極部を有するため、最大方向での寸法が例えば、１０ｍｍ〜２５０ｍｍある。
【００１５】
このような広いシートを貼り付けるための粘着シートは、広い面積を有するため、粘着面同士が互いに貼り付かないように保持するのが困難である。特に、粘着シートを取り替えるときは、粘着シートを単体で保持しなければならないため、意に反して粘着面同士が貼り付いてしまうことがしばしばある。
【００１６】
また、貼り替え用の粘着シート上の正しい位置に、健康器具を貼り付けることが困難であるという問題がある。
【００１７】
そこで、本発明の目的は、上記問題点の少なくともひとつを解決すべく、例えば、使用時に粘着面同士が貼り付かないように保持することが簡単な粘着シートを提供することにある。また、本発明の他の目的は、健康器具を容易に正しい位置に貼り付けることができる粘着シートを提供することにある。
【課題を解決するための手段】
【００１８】
上述した課題を解決するために、本発明は、たとえば、
複数回繰り返し使用する健康器具を皮膚に取り付けるための可撓性の粘着シートであって、
前記健康器具が貼付される部分である健康器具貼付部と、
皮膚に粘着させるための粘着部と、
前記健康器具貼付部に剥離可能に貼着された第一剥離紙と、
前記粘着部に剥離可能に貼着された第二剥離紙と、
を有することを特徴とする。
【００１９】
前記第二剥離紙は、前記第一剥離紙を取り去った状態で前記粘着シートを支持して面の状態を維持する剛性を有していてもよい。
【００２０】
前記第一剥離紙または前記健康器具貼付部は、前記健康器具の外形の少なくとも一部と整合する形状を有していてもよい。
【００２１】
前記第一剥離紙と第二剥離紙は、切込によって互いに分離されていてもよい。
【００２２】
前記第一剥離紙と前記第二剥離紙は、剥がし始め部分に剥がし端部を有していてもよい
前記剥がし端部は、前記第一剥離紙と前記第二剥離紙の剥がし始め部分に設けられた切欠または切込段差部または折り返し部または重なり部を有していてもよい
前記剥がし端部は、前記第一剥離紙と前記第二剥離紙の剥がし始め部分に設けられた薄膜片を有していてもよい
前記第一剥離紙と前記第二剥離紙は、互いに反対方向に剥離されるように配置されていてもよい。
前記健康器具は、可撓性であり、最大方向での寸法が、１０ｍｍ〜２５０ｍｍである、微弱電流を発生させるシートであってもよい。
【発明の効果】
【００２３】
本発明によれば、使用時に粘着面同士が貼り付かないように保持することができる粘着シートを得ることができる。また、本発明によれば、健康器具を正しい位置に容易に貼り付けることができる貼り替え用の粘着シートを得ることができる。
【図面の簡単な説明】
【００２４】
【図１】本発明の一実施形態による粘着シートの平面図と横断面図。
【図２】本発明の一実施形態による粘着シートの使用法を時系列的に説明した説明図。
【図３】本発明の一実施形態による粘着シートの使用状態を例示した説明図。
【図４】本発明の一実施形態による粘着シートの平面図と粘着シートを取り去った後の台紙の平面図。
【図５】本発明の一実施形態による粘着シートの平面図。
【図６】本発明の他の実施形態による粘着シートの平面図。
【図７】本発明の他の実施形態による粘着シートの平面図。
【図８】本発明の他の実施形態による粘着シートの平面図。
【図９】本発明の他の実施形態による粘着シートの平面図。
【図１０】本発明の他の実施形態による粘着シートの平面図。
【図１１】健康器具が磁石である場合の、従来の粘着シートと剥離紙を示した説明図。
【発明を実施するための形態】
【００２５】
以下に本発明の適用例である実施形態を、図面を用いて説明する。
【００２６】
図１に一実施形態による粘着シート１を示す。図１（ａ）は、粘着シート１の平面を示している。図１（ｂ）は図１（ａ）の矢印Ａ−Ａ方向に見た粘着シート１の横断面を示している。
【００２７】
図１に示す粘着シート１は、張り替え用のものを示している。健康器具を貼り付けた状態は後に説明する。粘着シートの厚さは、例えば、剥離紙を外した状態で、０．０３ｍｍ〜０．５ｍｍである（剥離紙を含めると０．１ｍｍ〜１．０ｍｍ、好ましくは０．１ｍｍ〜０．６ｍｍである）。
また、粘着シートは伸縮性を有し、伸長時、少なくとも伸長前に対して１１０％を有し、好ましくは１２０％以上、より好ましくは１３０％〜１８０％を有していることが望ましい。
材質は、例えばポリエステルや、綿、毛、シルクなど、また、織り方は、例えば不織布や、ストレッチ織物、ニット織物などがあげられる。伸び方向は、一方方向（例えば横方向に大きい）、または全方向に伸びが大きい素材としても良い。
【００２８】
図１（ａ）において、粘着シート１は剥離紙を貼着した状態で示されている。剥離紙は、切込３によって第一剥離紙４と、第二剥離紙５に分かれている。第一剥離紙４は、概略粘着シート１の中央部に配置されている。第二剥離紙５は、第一剥離紙４を取り囲んで粘着シート１の周辺部に配置されている。
【００２９】
第一剥離紙４と第二剥離紙５の上面には、種々の文字や図形が印刷されている。印刷文字は、使用法を文章で示している。例示している印刷図形の矢印は、第一剥離紙４と第二剥離紙５を剥離する方向を示している。使用法の文字の番号は、使用法の順番を示している。ここでは、文字のみで示しているが、剥がした絵や写真など、または、これらの組み合わせによって使用方法や使用順序などを示しても良いものである、
【００３０】
粘着シート１は、図１（ｂ）に示すように、可撓性シート６の片面に粘着層７を有している。粘着層７の上に、第一剥離紙４と第二剥離紙５が貼着されている。
【００３１】
可撓性シート６は、高分子フイルム、不織布、綿布等を使用して形成することができる。可撓性シート６は、皮膚への貼着時の違和感を軽減するために、柔軟で薄いものにするのが好ましい。粘着層７はシリコンやアクリル系感圧接着剤（アクリル系粘着剤）等を使用して形成することができる。第一剥離紙４と第二剥離紙５は、基材に上質紙を使用し、剥離剤にシリコン系樹脂を使用することができる。あるいは上質紙と樹脂のラミネート材を使用することができる。また、可撓性シート６は、撥水性があり、通気性があるのが好ましく、通気のための貫通孔が複数設けられていても良い。
【００３２】
粘着シート１の平面形状は、第一剥離紙４と第二剥離紙５を合わせた形状とほぼ一致している。可撓性シート６の中央部は、健康器具を貼り付ける健康器具貼付部８になっている。健康器具貼付部８の平面形状は、第一剥離紙４とほぼ同一の形状になっている。健康器具貼付部８の周囲には、粘着部９が設けられている。粘着部９の平面形状は、第二剥離紙５とほぼ同一の形状になっている。
【００３３】
健康器具貼付部８は、後に説明するように健康器具を貼り付けるための領域になっている。粘着部９は、健康器具を皮膚に固定するための粘着領域になっている。工場出荷状態では、健康器具貼付部８の粘着層７上に第一剥離紙４が貼着されている。また、粘着部９の粘着層７上に第二剥離紙５が貼着されている。
【００３４】
第一剥離紙４は、剥がし始め部分は剥がし端部１０になっている。本実施形態の剥がし端部１０は、薄膜片１１を有している。薄膜片１１は、剥がし端部１０の縁に接続されたフイルムからなり、第一剥離紙４を剥がすときに、引き手のように引っ張れるようになっている。
【００３５】
なお、剥がし端部１０は、薄膜片１１のような付加的なものを有せず、剥がしやすい形状の端部としてもよい。剥がしやすい形状の端部とは、例えば爪で引っかけやすい切欠きが設けられていてもよいし、指で引っ張りやすい折り返し部が設けられていてもよい。
【００３６】
第二剥離紙５は、概略半径方向の切込１２によって剥がし端部１３が形成されている。本実施形態の剥がし端部１３の縁には、薄膜片１４が接続されている。薄膜片１４は、第二剥離紙５を剥がすときに、引っ張れるフイルムからなっている。また、剥がし端部１０と同様に、剥がし端部１３は、薄膜片１４のような付加的なものを有せず、例えば爪で引っかけやすい切欠きや、指で引っ張りやすい折り返し部など、剥がしやすい形状の端部からなっていてもよい。さらには、印刷により剥がし始め部分を表示しても良い。ここでは剥がし始め部分は、一例を示し、必ずしもこの位置に限定するものではない。
【００３７】
図２は、本実施形態による粘着シート１の使用法を時系列的に示した説明図を示している。
【００３８】
粘着シート１は使用の初めに、第一剥離紙４を剥がす。図２（ａ）は、第一剥離紙４（図１参照）を取り去った状態を示している。図２（ａ）に示すように、第一剥離紙４を取り去ったところは、粘着層７が見えており、この部分は健康器具を貼り付ける健康器具貼付部８になっている。
【００３９】
次に、健康器具貼付部８に健康器具を貼り付ける。本実施形態では、健康器具が微弱電流を発生させる微弱電流シート２である場合を示している。
【００４０】
図２（ｂ）に示すように、微弱電流シート２は、絶縁シート１５を有し、絶縁シート１５上に正電極箔１６と負電極箔１７を有している。正電極箔１６は微弱電流シート２の中央部に設けられ、その両側に負電極箔１７が設けられている。
正電極箔１６は肌に接触して正電極として作用する部分を含み、負電極箔１７は肌に接触して負電極として作用する部分を含み、絶縁シート１５は肌側において正電極と負電極との間を絶縁する。正電極箔１６と負電極箔１７は、電気的に接続されている。
絶縁シート１５は、面状に形成され、厚み方向に貫通する窓部を複数設けられる。正電極箔１６及び負電極箔１７は、この窓部を通って肌側に露出して、正電極と負電極になる。
微弱電流シート２は、微弱電流シート２全体と同等の形状の台座シート（不図示）の上に、同じく略同等の形状の負電極箔１７が重なり、その上に、ほぼ中央にのみ、正電極箔１６が重なり、その上に、３つの貫通する窓部を有する窓絶縁シート２が重ねられている。各電極箔は、めっきや圧延により薄膜として形成される。負電極箔１７は、アルミニウム、チタン、亜鉛等であり、正電極箔１６は、例えば、金、銀等の貴金属等であり、イオン化傾向の差により、微細な電流を発生させる。
微弱電流シート２は、身体の曲面に柔軟に沿わせることができるように、可撓性を備えている。微弱電極シート２の厚さは、例えば、１ｍｍ〜８ｍｍ、好ましくは１．５ｍｍ〜６ｍｍである。微弱電極シート２の台座の材質は、シリコンゴムや、エラストマー、塩化ビニール、ナイロン、ＡＢＳ、ポリプロピレンなどの柔軟性のあるプラスチック素材である。
また、微弱電流シート２の形状は板状のほか、通気性のある複数の孔を設けた網状であってもよい。
また、微弱電流シート２の布地を含んで形成されてもよい。例えば、布に、正電極となる金属ワイヤーと負電極となる金属ワイヤーを、所定の距離を離して織り込み、それぞれ正電極部及び負電極部とする。正電極部と負電極部は、人の肌に接触する部分であり、その間は距離を離すことで絶縁部を設ける。さらに、両電極の金属ワイヤーの間を、肌に接触しない位置で導電性の部材で電気的に接続する。布地は、例えば、ストレッチ織物、ニット織物等が挙げられ、その素材としては、ポリエステル、綿、毛、シルクなどが挙げれる。なお、いわゆる不繊布であってもよい。
微弱電流シート２は、正電極部と負電極部を有するため、最大方向での寸法が例えば、１０ｍｍ〜２５０ｍｍ、好ましくは、１６ｍｍ〜２２０ｍｍである。また、貼付する位置によっては、最大寸法が例えば、１０ｍｍ〜１００ｍｍ（より具体的には１２ｍｍ〜６０ｍｍ）の場合もある。
微弱電流シート２の面積は、例えば、１ｃｍ２〜４００ｃｍ２であり、より具体的には２ｃｍ２〜３００ｃｍ２である。面積が大きければ、１枚の微弱電流シート２を、身体の部位に、広範囲に貼付することができる。
健康器具貼付部８の平面形状は、微弱電流シート２の外形の少なくとも一部と整合する形状を有している。健康器具貼付部８の平面形状が微弱電流シート２の外形とほぼ一致するようにしても無論よい。
【００４１】
本実施形態によれば、微弱電流シート２を健康器具貼付部８に貼付する前は、粘着シート１は、図２（ａ）に示したように、第一剥離紙４を取り去って、粘着シート１に第二剥離紙５のみが貼着された状態になっている。本実施形態では、第二剥離紙５は、第一剥離紙４を取り去った状態で粘着シート１を支持し、面の状態を維持することができるようになっている。
【００４２】
すなわち、第二剥離紙５の上質紙と樹脂のコーティングまたは積層と、可撓性シート６の全体剛性により、ある程度折れに対する抵抗を有し、健康器具貼付部８の枠のようになっている。これにより、粘着シート１は多少曲がることがあっても、面の状態を維持することができる。健康器具貼付部８の粘着面は、第二剥離紙５がその周囲を枠のように支えるため、健康器具貼付部８において粘着面同士が互いに貼り付くことがない。また、この段階では、第二剥離紙５が粘着面を覆っているので、指で押さえたりつまんだりしたときに指に張り付いてしまうのを防止できる。
【００４３】
すなわち本実施形態によれば、粘着シート１の粘着面同士が互いに貼り付くことを防止し、容易に微弱電流シート２を貼り付けることができる。
【００４４】
また、本実施形態では、健康器具貼付部８の平面形状は、微弱電流シート２の外形とほぼ一致しているため、この場所に微弱電流シート２を貼り付ければ、自然と正しい位置に微弱電流シート２を貼り付けることができる。
【００４５】
健康器具貼付部８に微弱電流シート２を貼り付けた後は、第二剥離紙５を取り去る。図２（ｃ）は、微弱電流シート２を貼り付けて、第二剥離紙５を取り去った状態を示している。
【００４６】
この状態では、微弱電流シート２が粘着シート１を支持し、粘着シート１を面の状態に維持することができる。また、粘着部９は、微弱電流シート２の周囲にあるため、粘着部９の粘着面が互いに貼り付くことがない。したがって、図２（ｃ）の状態で、粘着シート１と微弱電流シート２を所望の身体の場所に容易に貼り付けることができる。
【００４７】
図３は、本実施形態による粘着シート１の使用状態を例示した図である。図３（ａ）は、粘着シート１と微弱電流シート２を、肩、肩甲骨、腰に貼った状態を示している。図３（ｂ）は、粘着シート１と微弱電流シート２を、胸の左上部と右下部に貼った状態を示している。図３（ｃ）は、粘着シート１と微弱電流シート２を、太腿、ひざ、くるぶし下部に貼った状態を示している。図３（ｄ）は、粘着シート１と微弱電流シート２を、すね、足の甲に貼った状態を示している。図３（ｅ）は、粘着シート１と微弱電流シート２をふくらはぎ上部、ふくらはぎ下部に貼った状態を示している。
【００４８】
本実施形態によれば、図示のような身体の貼付場所へも、粘着シート１と微弱電流シート２を容易に貼り付けることができる。微弱電流シート２は、硬く小さな磁石治療具と異なり、ある程度の面積を持っているが、可撓性のため、貼付場所が曲面でも柔軟に沿わせることができる。また粘着シート１も可撓性のため、微弱電流シート２を貼付場所に柔軟に沿わせた状態で貼付状態を維持することができる。
【００４９】
図４は、一枚の台紙１８に複数枚の粘着シート１を形成した場合を示している。図４（ａ）は剥離紙を有する裏面を、図４（ｂ）は粘着シート１を有する表面を工場出荷状態で示している。図４（ｂ）は、表面から見た状態を示し、各粘着シート１の周囲には切込１９が設けられている。切込１９は剥離紙側まで切り込まれていない。
【００５０】
台紙１８は、矩形の可撓性シートの上に、粘着層を設け、さらにその上に剥離紙を貼着したものである。台紙１８の可撓性シートと粘着層と剥離紙は、図１の可撓性シート６と粘着層７と第一剥離紙４と第二剥離紙５と共通のものである。台紙１８の第一剥離紙４の周囲には、断続的に切り込んだ（ミシン目状など）切込３が設けられている。切込３は台紙１８のみに切り込まれ、粘着シート１側まで切り込まれていない。各粘着シート１は、切込１９で切り離すことにより、台紙１８から取り出せるようにしても良い。
【００５１】
使用の方法は、図４（ａ）の裏面から、第一剥離紙４を切込３により剥がし、微弱電流シートを電極面を表にし貼り付ける。その後、図４（ｂ）の表面から、粘着シート１を第二剥離紙５（台紙１８でもある）から剥がし取る。（この間、微弱電流シートが芯材の役割をし、周囲の粘着部９がお互いの貼りつくことを防止する。）さらに、剥した粘着シート１を患部に貼る一連の流れになる。図４（ｃ）は、説明的に各粘着シート１をミシン目等で取り去った状態を示している。通常は台紙１８から粘着シート１を一枚ずつ切り離し、図２に示す方法で使用する。または、台紙１８上で、第一剥離紙４と第二剥離紙５を剥がし、図示しない微弱電流シート２を貼り付け、台紙１８から取り出して使用しても良い。
【００５２】
本実施形態によれば、粘着シート１の大量生産に適し、かつ、粘着シート１がばらばらにならず、使用者が管理しやすいという利点を有する。
【００５３】
図５は、他の実施形態の粘着シート１ａを示している。
【００５４】
本実施形態の粘着シート１ａは、横長な概略矩形の形状を有している。第一剥離紙４ａは粘着シート１ａの中央部に配置され、第二剥離紙５ａは第一剥離紙４ａを取り囲むようにその周囲に配置されている。第一剥離紙４ａと第二剥離紙５ａは切込３ａによって、互いに分離されている。
【００５５】
第一剥離紙４ａの一つの角部は、剥がし端部１０ａになっている。剥がし端部１０ａは薄膜片１１ａを有し、剥離しやすくなっている。なお、薄膜片１１ａは適宜省略することができる。
【００５６】
第二剥離紙５ａは、一対の切込１２ａを有し、二つに分かれて剥離できるようになっている。第二剥離紙５ａの一つの剥離部分の端部に剥がし端部１３ａが形成されている。剥がし端部１３ａは、薄膜片１４ａを有し、剥離しやすくなっている。薄膜片１４ａは適宜省略することができる。
【００５７】
使用に際しては、最初に第一剥離紙４ａを剥がし、その部分に微弱電流シート２ａを貼り付ける。しかる後に、第二剥離紙５ａを取り去る。
【００５８】
図５（ｂ）は、微弱電流シート２ａを貼り付け、第二剥離紙５ａを取り去った状態を示している。
【００５９】
微弱電流シート２ａは、ほぼ第一剥離紙４ａと同一の形状を有し、絶縁シート１５ａの中央部に正電極箔１６ａを有し、その両側に負電極箔１７ａを有している。
【００６０】
微弱電流シート２ａの周囲には、粘着層７ａが存在し、微弱電流シート２ａを皮膚に容易に固定することができるようになっている。
【００６１】
本実施形態においても、第一剥離紙４ａを取り去った状態で、第二剥離紙５ａによって粘着シート１ａが面の状態を保ち、粘着面同士が貼り付いてしまうことを防止することができる。また、微弱電流シート２ａは、第一剥離紙４ａを取り去った部分に貼着すればよく、容易に正しい位置に貼り付けることができる。
【００６２】
図６は、他の実施形態の粘着シート１ｂを示している。
【００６３】
本実施形態の粘着シート１ｂも、横長な概略矩形の形状を有している。第一剥離紙４ｂは粘着シート１ｂの中央部に配置され、第二剥離紙５ｂは第一剥離紙４ｂを取り囲むようにその周囲に配置されている。第一剥離紙４ｂと第二剥離紙５ｂは切込３ｂによって、互いに分離されている。
【００６４】
第一剥離紙４ｂの一つの角部は、剥がし端部１０ｂになっている。剥がし端部１０ｂは薄膜片１１ｂを有し、剥離しやすくなっている。薄膜片１１ｂは適宜省略することができる。
【００６５】
第二剥離紙５ｂは、一対の切込１２ｂを有し、二つに分かれて剥離できるようになっている。第二剥離紙５ｂの一つの剥離部分の両端部に剥がし端部１３ｂが形成されている。剥がし端部１３ｂは、薄膜片１４ｂを有し、剥離しやすくなっている。なお、薄膜片１４ｂは適宜省略することができる。またこの部分を色分けするなどして、切れ目を表示してしても良い。
【００６６】
本実施形態の切込１２ｂは、特徴的に切込段差部２０を有している。切込段差部２０を有していることにより、粘着シート１ｂを切込１２ｂに沿って折るようにすると、剥がし端部１３ｂの角が突出して指で引っ張ることができるようになる。これによって簡単に第二剥離紙５ｂを取り除くことができるようになる。
【００６７】
使用に際しては、最初に第一剥離紙４ｂを剥がし、その部分に微弱電流シート２ｂを貼り付ける。しかる後に、第二剥離紙５ｂを取り去る。
【００６８】
図６（ｂ）は、微弱電流シート２ｂを貼り付け、第二剥離紙５ｂを取り去った状態を示している。
【００６９】
微弱電流シート２ｂは、ほぼ第一剥離紙４ｂと同一の形状を有し、絶縁シート１５ｂの中央部に正電極箔１６ｂを有し、その両側に負電極箔１７ｂを有している。
【００７０】
微弱電流シート２ｂの周囲には、粘着層７ｂが存在し、微弱電流シート２ｂを皮膚に容易に固定することができるようになっている。
【００７１】
本実施形態においても、第一剥離紙４ｂを取り去った状態で、第二剥離紙５ｂによって粘着シート１ｂが面の状態を保ち、粘着面同士が貼り付いてしまうことを防止することができる。また、微弱電流シート２ｂは、第一剥離紙４ｂを取り去った部分に貼着すればよく、容易に正しい位置に貼り付けることができる。
【００７２】
図７は、他の実施形態の粘着シート１ｃを示している。
【００７３】
本実施形態の粘着シート１ｃも、横長な概略矩形の形状を有している。第一剥離紙４ｃは粘着シート１ｃの一辺の中央部にあって、他の辺にほぼ平行に貫通した状態で設けられている。
【００７４】
第二剥離紙５ｃは第一剥離紙４ｃの両側に配置されている。第一剥離紙４ｃと第二剥離紙５ｃは切込３ｃによって、互いに分離されている。
【００７５】
第一剥離紙４ｃの一つの角部は、剥がし端部１０ｃになっている。剥がし端部１０ｃは薄膜片１１ｃを有し、剥離しやすくなっている。薄膜片１１ｃは適宜省略することができる。
【００７６】
第二剥離紙５ｃは、第一剥離紙４ｃの両側にあって二片存在し、それぞれの端部に剥がし端部１３ｃが設けられている。剥がし端部１３ｃは、薄膜片１４ｃを有し、剥離しやすくなっている。なお、薄膜片１４ｃは適宜省略することができる。
【００７７】
本実施形態の剥がし端部１０ｃや剥がし端部１３ｃは、切込３ｃに沿って粘着シート１ｃを折るようにすると、粘着層７ｃから離れ、剥離しやすくなる。
【００７８】
使用に際しては、最初に第一剥離紙４ｃを剥がし、その中央部分に微弱電流シート２ｃを貼り付ける。しかる後に、第二剥離紙５ｃを取り去る。
【００７９】
図７（ｂ）は、微弱電流シート２ｃを貼り付け、第二剥離紙５ｃを取り去った状態を示している。
【００８０】
微弱電流シート２ｃは、矩形の形状を有し、絶縁シート１５ｃの中央部に正電極箔１６ｃを有し、その両側に負電極箔１７ｃを有している。
【００８１】
微弱電流シート２ｃの周囲には、粘着層７ｃが存在し、微弱電流シート２ｃを皮膚に容易に固定することができるようになっている。
【００８２】
本実施形態においても、第一剥離紙４ｃを取り去った状態で、その両側の第二剥離紙５ｃによって粘着シート１ｃが面の状態を保ち、粘着面同士が貼り付いてしまうことを防止することができる。また、微弱電流シート２ｃは、第一剥離紙４ｃを取り去った部分に貼着すればよく、容易に正しい位置に貼り付けることができる。
【００８３】
図８は、他の実施形態の粘着シート１ｄを示している。
【００８４】
本実施形態の粘着シート１ｄも、横長な概略矩形の形状を有している。ただし、本実施形態では、第一剥離紙４ｄと第二剥離紙５ｄは、粘着シート１ｄの左右の約半分をそれぞれ覆っている。
【００８５】
第一剥離紙４ｄと第二剥離紙５ｄは、切込３ｄによって、互いに分離されている。切込３ｄは、第一剥離紙４ｄと第二剥離紙５ｄの一つの角部が、剥離しやすいように他の側に突出するように設けられている。第一剥離紙４ｄの突出端部は、剥がし端部１０ｄになっている。剥がし端部１０ｄは薄膜片１１ｄを有している。薄膜片１１ｄは省略することができる。第二剥離紙５ｄの突出端部は、剥がし端部１３ｄになっている。剥がし端部１３ｄは薄膜片１４ｄを有している。薄膜片１４ｄは省略することができる。
【００８６】
図８（ｃ）は、剥がし端部１０ｄの変形例を示している。図８（ｃ）に示すように、剥がし端部１０ｄまたは剥がし端部１３ｄは、他の剥離紙側に突出し、他の側の剥離紙の上に重なり部になっていてもよい。
【００８７】
図８（ａ）の薄膜片１１ｄと剥がし端部１３ｄに印刷された矢印に示すように、本実施形態の第一剥離紙４ｄと第二剥離紙５ｄは、互いに反対方向に剥離される。反対方向に剥離されることにより、剥離を容易にすることができる。
【００８８】
図８（ｂ）は、第一剥離紙４ｄと第二剥離紙５ｄを取り去り、微弱電流シート２ｄを貼り付けた状態を示している。
【００８９】
微弱電流シート２ｄは、矩形の形状を有し、絶縁シート１５ｄの中央部に正電極箔１６ｄを有し、その両側に負電極箔１７ｄを有している。
【００９０】
微弱電流シート２ｄの周囲には、粘着層７ｄが存在し、微弱電流シート２ｄを皮膚に容易に固定することができるようになっている。
【００９１】
本実施形態においても、第一剥離紙４ｄを取り去った状態で、第二剥離紙５ｄによって粘着シート１ｄが面の状態を保ち、粘着面同士が貼り付いてしまうことを防止することができる。最初に第二剥離紙５ｄを取り去った場合も同様である。
【００９２】
図９は、他の実施形態による粘着シート１ｅを示している。本実施形態では、健康器具貼付部８ｅが健康器具の外形の少なくとも一部と整合する形状を有している。なお、図９において、図１と同一の部分には、図１と同一の符号を付し、重複する説明を省略することがある。
【００９３】
本実施形態の粘着シート１ｅも、横長な概略矩形の形状を有している。第一剥離紙４ｅは粘着シート１ｅの中央部に配置され、第二剥離紙５ｅは第一剥離紙４ｅを取り囲むようにその周囲に配置されている。第一剥離紙４ｅと第二剥離紙５ｅは切込３ｅによって、互いに分離されている。
【００９４】
第一剥離紙４ｅの一つの角部は、剥がし端部１０ｅになっている。剥がし端部１０ｅは省略可能な薄膜片１１ｅを有している。
【００９５】
第二剥離紙５ｅは、切込１２ｅを有し、そこから剥離できるようになっている。第二剥離紙５ｅの切込１２ｅ近傍の一端部は、剥がし端部１３ｅになっている。剥がし端部１３ｅは、省略可能な薄膜片１４ｅを有している。
【００９６】
粘着シート１ｅの健康器具貼付部８ｅは第一剥離紙４ｅに覆われ、第一剥離紙４ｅと同じ形状を有している。
【００９７】
健康器具貼付部８ｅは図９（ａ）に示すように概略半月形状を有している。これに対して、健康器具の微弱電流シート２ｅは、図９（ｂ）に示すように概略三日月形状を有している。
【００９８】
すなわち、健康器具貼付部８ｅと微弱電流シート２ｅは、外形の一部（下部）が整合しているのみである。しかし、この例のように、健康器具貼付部８ｅと微弱電流シート２ｅの整合する外形一部が、健康器具貼付部８ｅと微弱電流シート２ｅの正しい整合状態を明らかに示唆する場合は、容易に微弱電流シート２ｅを正しい位置に貼り付けることができる。この例では、第一剥離紙４ｅを取り去った後に、健康器具貼付部８ｅの外形の下部に微弱電流シート２ｅの下部に合わせることにより、微弱電流シート２ｅを正しい位置に容易に貼り付けることができる。
【００９９】
なお、微弱電流シート２ｅは、絶縁シート１５ｅの中央部に正電極箔１６ｅを有し、その両側に負電極箔１７ｅを有している。なお、微弱電流シート２ｅは周辺部に粘着層２１を有しているが、粘着層２１は省略することができる。
【０１００】
本実施形態においても、第一剥離紙４ｅを取り去った後に、第二剥離紙５ｅが粘着シート１ｅを支えて、面の状態を保つ効果を有する。
【０１０１】
図１０は、他の実施形態の粘着シート１ｆを示している。
【０１０２】
本実施形態の粘着シート１ｆは、概略円形の形状を有している。第一剥離紙４ｆは粘着シート１ｆの中央部に配置され、円形形状を有している。第二剥離紙５ｆは第一剥離紙４ｆと同心円的に配置され、第一剥離紙４ｆの周囲に配置されている。第一剥離紙４ｆと第二剥離紙５ｆは切込３ｆによって、互いに分離されている。
【０１０３】
第一剥離紙４ｆの円周部の一部は、剥がし端部１０ｆになっている。剥がし端部１０ｆは薄膜片１１ｆを有している。なお、薄膜片１１ｆは適宜省略することができる。
【０１０４】
第二剥離紙５ｆは、半径方向の切込１２ｆを有し、そこから剥離できるようになっている。切込１２ｆの近傍の端部に剥がし端部１３ｆが形成されている。剥がし端部１３ｆは、薄膜片１４ｆを有している。薄膜片１４ｆは適宜省略することができる。
【０１０５】
使用に際しては、最初に第一剥離紙４ｆを剥がし、その部分に微弱電流シート２ｆを貼り付ける。
【０１０６】
図１０（ｂ）は、微弱電流シート２ｆを貼り付け、第二剥離紙５ｆを取り去った状態を示している。
【０１０７】
微弱電流シート２ｆは、円形の形状を有し、絶縁シート１５ｆの中央部に正電極箔１６ｆを有し、その両側に負電極箔１７ｆを有している。
【０１０８】
微弱電流シート２ｆの周囲には、粘着層７ｆが存在し、微弱電流シート２ｆを皮膚に容易に固定することができるようになっている。
【０１０９】
本実施形態においても、第一剥離紙４ｆを取り去った状態で、第二剥離紙５ｆが粘着シート１ｆを面の状態に保ち、粘着面同士が貼り付いてしまうことを防止することができる。また、微弱電流シート２ｆは、第一剥離紙４ｆを取り去った円形部分に貼着すればよく、容易に正しい位置に貼り付けることができる。
【０１１０】
なお、以上の説明では、貼り替え用の粘着シートについて説明したが、説明した粘着シートと同じ構造で予め健康器具を装着して工場出荷することができる。
【０１１１】
この場合、粘着シートの健康器具貼付部上に健康器具を貼り付け、その上に剥離紙を貼着させればよい。
【０１１２】
このため、上記実施形態で説明した粘着シートは、貼り替え用の粘着シートに限られず、健康器具を装着した粘着シートをも含む。
【０１１３】
上記の記載に基づいて、当業者であれば、本発明の追加の効果や種々の変形を想到できるかもしれないが、本発明の態様は、上述した実施形態に限定されるものではない。特許請求の範囲に規定された内容及びその均等物から導き出される本発明の概念的な思想と趣旨を逸脱しない範囲で種々の追加、変更及び部分的削除が可能である。
【符号の説明】
【０１１４】
１、１ａ、１ｂ、１ｃ、１ｄ、１ｅ、１ｆ、５１：粘着シート
２、２ａ、２ｂ、２ｃ、２ｄ、２ｅ、２ｆ：微弱電流シート
３、３ａ、３ｂ、３ｃ、３ｄ、３ｅ、３ｆ、１２、１２ａ、１２ｂ、１２ｅ、１２ｆ、１９：切込
４、４ａ、４ｂ、４ｃ、４ｄ、４ｅ、４ｆ：第一剥離紙
５、５ａ、５ｂ、５ｃ、５ｄ、５ｅ、５ｆ：第二剥離紙
６：可撓性シート
７、７ａ、７ｂ、７ｃ、７ｄ、７ｆ、２１：粘着層
８、８ｅ：健康器具貼付部
９：粘着部
１０、１０ａ、１０ｂ、１０ｃ、１０ｄ、１０ｅ、１０ｆ、１３、１３ａ、１３ｂ、１３ｃ、１３ｄ、１３ｅ、１３ｆ：剥がし端部
１１、１１ａ、１１ｂ、１１ｃ、１１ｄ、１１ｅ、１１ｆ、１４、１４ａ、１４ｂ、１４ｃ、１４ｄ、１４ｅ、１４ｆ：薄膜片
１５、１５ａ、１５ｂ、１５ｃ、１５ｄ、１５ｅ、１５ｆ：絶縁シート
１６、１６ａ、１６ｂ、１６ｃ、１６ｄ、１６ｅ、１６ｆ正電極箔
１７、１７ａ、１７ｂ、１７ｃ、１７ｄ、１７ｅ、１７ｆ：負電極箔
１８：台紙
２０：切込段差部
５０：磁石
５２：剥離紙
【図１】
2020111645.tif 000003
【図２】
2020111645.tif 000004
【図３】
2020111645.tif 000005
【図４】
2020111645.tif 000006
【図５】
2020111645.tif 000007
【図６】
2020111645.tif 000008
【図７】
2020111645.tif 000009
【図８】
2020111645.tif 000010
【図９】
2020111645.tif 000011
【図１０】
2020111645.tif 000012
【図１１】
2020111645.tif 000013
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
健康器具を皮膚に取り付けるための可撓性の粘着シートであって、
前記健康器具が貼付される部分である健康器具貼付部と、
皮膚に粘着させるための粘着部と、
前記健康器具貼付部に剥離可能に貼着された第一剥離紙と、
外縁が前記粘着部の外縁と略同形同大であって前記第一剥離紙を取り囲むように前記粘着部に剥離可能に貼着された第二剥離紙と、を有し、
前記第二剥離紙は、前記第一剥離紙を取り去った状態で前記粘着シートを支持して面の状態を維持する剛性を有している、
ことを特徴とする粘着シート。
【請求項２】
請求項１に記載の粘着シートであって、
前記第一剥離紙または前記健康器具貼付部は、前記健康器具の外形の少なくとも一部と整合する形状を有している、ことを特徴とする粘着シート。
【請求項３】
請求項１または２に記載の粘着シートであって、
前記第一剥離紙と前記第二剥離紙は、切込によって互いに分離されている、ことを特徴とする粘着シート。
【請求項４】
請求項１〜３のいずれか一項に記載の粘着シートであって、
前記第一剥離紙と前記第二剥離紙は、剥がし始め部分に剥がし端部を有している、ことを特徴とする粘着シート。
【請求項５】
請求項４に記載の粘着シートであって、
前記剥がし端部は、前記第一剥離紙と前記第二剥離紙の剥がし始め部分に設けられた切欠または切込段差部または折り返し部または重なり部を有している、ことを特徴とする粘着シート。
【請求項６】
請求項４または５に記載の粘着シートであって、
前記剥がし端部は、前記第一剥離紙と前記第二剥離紙の剥がし始め部分に設けられた薄膜片を有している、ことを特徴とする粘着シート。
【請求項７】
請求項１〜６のいずれか一項に記載の粘着シートであって、
前記第一剥離紙と前記第二剥離紙は、互いに反対方向に剥離されるように配置されている、ことを特徴とする粘着シート。
【請求項８】
請求項１〜７のいずれか一項に記載の粘着シートであって、
前記健康器具は、
可撓性であり、
最大方向での寸法が、１０ｍｍ〜２５０ｍｍである、
微弱電流を発生させるシートである
ことを特徴とする粘着シート。